(57)【要約】      （修正有）【課題】郵便メッセージと共にお米のプレゼントにもなる郵便ポストに投函可能なメッセージ付きお米詰め袋構造を提供する。【解決手段】郵便ポストに投函可能なメッセージ付きお米詰め袋構造Ａは、内部空気を略完全吸引した生米収納の固形扁平包装袋２０により扁平状の真空お米パック１０を構成すると共に、真空お米パックのパック本体形状は１ｃｍ〜３ｃｍの肉厚で略Ａ４サイズの短い幅員の約半分の大きさに形成することにより郵便ポストに投函可能な長方形状の真空お米パック形状とし、真空お米パックの表面所定位置に郵便切手Ｓを、表面余白位置にメッセージ記入可能なメッセージシートＭをそれぞれ貼付して新たなメッセージ送信形態にすると共に、郵送によるお米のプレゼントの形態とすることを可能に構成してなる。【選択図】図５
0003234408.tif 000002
【実用新案登録請求の範囲】
【請求項１】
内部空気を略完全吸引した生米収納の固形扁平包装袋により扁平状の真空お米パックを構成すると共に、
真空お米パックのパック本体の形状は１cm〜３cmの肉厚で略Ａ４サイズの短い幅員の約半分の大きさに形成することにより郵便ポストに投函可能な長方形状の真空お米パック形状とし、
真空お米パックの表面所定位置に郵便切手を、表面余白位置にメッセージの記入可能としたメッセージシートをそれぞれ貼付して新たなメッセージ送信形態にすると共に、郵送によるお米のプレゼントの形態とすることを可能とした
郵便ポストに投函可能なメッセージ付きお米詰め袋構造。
【請求項２】
内部空気を略完全吸引した生米収納の固形扁平包装袋は、袋表面に収納固形生米の米粒集合から形成される表面凹凸を形成したことを特徴とする請求項１に記載のメッセージ付きお米詰め袋構造。
【請求項３】
真空お米パックの表面余白位置に貼付するメッセージ記入可能なメッセージシートは裏面に粘着剤と剥離紙を貼着すると共に、筆記用具で文字の記載が可能な耐水性の合成樹脂素材のシートより構成したことを特徴とする請求項１又は２に記載のメッセージ付きお米詰め袋構造。
【考案の詳細な説明】
【技術分野】
【０００１】
この考案は、一定量のお米を真空パックにして郵便ポストに投函可能に構成すると共に真空パックはメッセージ付きお米袋とした郵便ポストに投函可能なメッセージ付きお米詰め袋構造に関するものである。
【背景技術】
【０００２】
従来、お米を真空パックにして携帯や保存管理に便利にしたお米詰め構造は公知として存在する（例えば、特許文献１）。
【０００３】
真空パックの形状はサイコロ型の方形状にしたり一定の厚みの本型にしたり各種形状に形成されている。
【０００４】
これらは取り扱いや保存管理に便利であり、真空パックであるために生米の経時劣化を防止するためにも有効である。
【先行技術文献】
【特許文献】
【０００５】
【特許文献１】特開２０１５―２２１６７０号公報
【考案の概要】
【考案が解決しようとする課題】
【０００６】
しかし、各種形状の真空パックのお米においては保存や取扱には便利で保存期間も長期間とすることができるメリットはあるが、それ以上の機能を付加するものではなかった。
【０００７】
この考案では、これらの真空パックのお米を郵便ポストに投函可能なパック形状としてその表面に郵便切手を貼ってメッセージを記入することができるようにパック表面にメッセージシートを貼付して新たな用途に使用できるように構成すると共に郵便メッセージと共にお米のプレゼントにもなるという従来のお米の真空パックとは全く異なる用途を開発して郵便事業の発展と共にお米流通の新たな形態を創造したものである。
【０００８】
特に近々の郵便法の改正により一定の肉厚の郵便物をポストの投函口から投函して郵便物流通の拡大を図るという社会情勢変化に歩調を合わせて本考案では新しいお米真空パックの有効利用を図ったものである。
【課題を解決するための手段】
【０００９】
本考案は、内部空気を略完全吸引した生米収納の固形扁平包装袋により扁平状の真空お米パックを構成すると共に、真空お米パックのパック本体の形状は１cm〜３cmの肉厚で略Ａ４サイズの短い幅員の約半分の大きさに形成することにより郵便ポストに投函可能な長方形状の真空お米パック形状とし、真空お米パックの表面所定位置に郵便切手を、表面余白位置にメッセージの記入可能としたメッセージシートをそれぞれ貼付して新たなメッセージ送信形態にすると共に、郵送によるお米のプレゼントの形態とすることを可能とした郵便ポストに投函可能なメッセージ付きお米詰め袋構造に関する。
【００１０】
また、内部空気を略完全吸引した生米収納の固形扁平包装袋は、袋表面に収納固形生米の米粒集合から形成される表面凹凸を形成したことにも特徴がある。
【００１１】
また、真空お米パックの表面余白位置に貼付するメッセージ記入可能なメッセージシートは裏面に粘着剤と剥離紙を粘着すると共に、筆記用具で文字の記載が可能な耐水性の合成樹脂素材のシートより構成したことにも特徴がある。
【考案の効果】
【００１２】
請求項１の考案によれば、内部空気を略完全吸引した生米収納の固形扁平包装袋により扁平状の真空お米パックを構成すると共に、真空お米パックのパック本体の形状は１cm〜３cmの肉厚で略Ａ４サイズの短い幅員の約半分の大きさに形成することにより郵便ポストに投函可能な長方形状の真空お米パック形状とし、真空お米パックの表面所定位置に郵便切手を、表面余白位置にメッセージの記入可能としたメッセージシートをそれぞれ貼付して新たなメッセージ送信形態にすると共に、郵送によるお米のプレゼントの形態とすることを可能としたため、差出人は全国に18万本以上配置される郵便ポストに投函するだけで国内全域にお米を流通可能となり、その結果、お米流通の新たな形態の提供に寄与することとなる。
【００１３】
また、お米詰め袋構造は日本郵便推奨規格の郵便受箱に収容可能な寸法でもあるため、受取人が不在であっても郵便受箱に入れて送達を行うことが可能である。すなわち、差出人は郵便ポストがあれば何処でも気軽にお米を送付できる。また、送付されたお米は配達人が受取人の郵便受箱に投函するため、受取人は配達人からの受け取り時刻を気にする必要がない。このように、かかる考案によれば送受の際の煩わしい作業を可及的に省略することも可能とする。
【００１４】
しかも、お米詰め袋構造は内国郵便約款で規定する第一種郵便物の定形外郵便物（規格内）の寸法以内でもあるため、遠方であっても国内全国に一定料金で送付することが可能である。具体的には、収納する生米を３合以下（500ｇ以下）とすれば390円の郵便切手を貼付して国内全域に発送可能である。また、収納する生米を６合以下（１kg以下）とすれば560円の郵便切手を貼付して国内全域に発送可能である。
【００１５】
請求項２の考案によれば、内部空気を略完全吸引した生米収納の固形扁平包装袋は、袋表面に収納固形生米の米粒集合から形成される表面凹凸を形成したため、収納生米の外周側面が袋表面の表面凹凸に被覆されることとなり、生米は包装袋内で密に固形扁平状を形成することができる。これにより、お米詰め袋構造は、郵便ポスト投函時や郵便搬送時における外部からの不用意な衝撃でも形状が崩れることなく固形扁平形状を維持できるため、少なくともメッセージ受け取り主の手に渡るまでその形状を保持できる効果がある。
【００１６】
請求項３の考案によれば、真空お米パックの表面余白位置に貼付するメッセージ記入可能なメッセージシートは裏面に粘着剤と剥離紙を粘着すると共に、筆記用具で文字の記載が可能な耐水性の合成樹脂素材のシートより構成したため、送り主はメッセージシートを取り外してからメッセージの記載が可能であり、記載後に剥離紙を剥離させて真空お米パックに再度貼付することができる。これにより、メッセージの送り主は、別途粘着剤を用意しなくともお米詰め袋構造をメッセージ送信形態とすることができる。
【００１７】
また、真空お米パックとメッセージシートとを別体としているため、メッセージ受け取り主は、真空お米パックを切開いて収納生米を取出す際にメッセージシートを取り外せば、メッセージシートを保管しやすくする効果がある。
【図面の簡単な説明】
【００１８】
【図１】本考案の一実施例に係るお米詰め袋構造を説明する正面図である。
【図２】本考案の一実施例に係るお米詰め袋構造を説明する背面図である。
【図３】本考案の一実施例に係るお米詰め袋構造を説明する側面図である。
【図４】本考案の一実施例に係るお米詰め袋構造を一部断面視的に説明する側面図である。
【図５】本考案の一実施例に係るお米詰め袋構造を説明する正面斜視図である。
【図６】本考案の一実施例に係るお米詰め袋構造を郵便ポストに投函する様子を説明する斜視図である。
【図７】本考案の一実施例に係るお米詰め袋構造を郵便ポストに投函する様子を断面視艇に説明する側面図である。
【考案を実施するための形態】
【００１９】
本考案の要旨は、内部空気を略完全吸引した生米収納の固形扁平包装袋により扁平状の真空お米パックを構成すると共に、真空お米パックのパック本体の形状は１cm〜３cmの肉厚で略Ａ４サイズの短い幅員の約半分の大きさに形成することにより郵便ポストに投函可能な長方形状の真空お米パック形状とし、真空お米パックの表面所定位置に郵便切手を、表面余白位置にメッセージの記入可能としたメッセージシートをそれぞれ貼付して新たなメッセージ送信形態にすると共に、郵送によるお米のプレゼントの形態とすることを可能としたことにより、郵便事業の発展と共にお米流通の新たな形態を創造する郵便ポストに投函可能なメッセージ付きお米詰め袋構造を提供することにある。
【００２０】
また、郵便ポストに投函可能なメッセージ付きお米詰め袋構造は、内部空気を略完全吸引した生米収納の固形扁平包装袋は、袋表面に収納固形生米の米粒集合から形成される表面凹凸を形成したことにも特徴を有する。
【００２１】
また、郵便ポストに投函可能なメッセージ付きお米詰め袋構造は、真空お米パックの表面余白位置に貼付するメッセージ記入可能なメッセージシートは裏面に粘着剤と剥離紙を貼着すると共に、筆記用具で文字の記載が可能な耐水性の合成樹脂素材のシートより構成したことにも特徴を有する。
【００２２】
すなわち、本考案にかかるメッセージ付きお米詰め袋構造は、生米を真空パックするにあたり包装袋の形状や構成に特徴を持たせることにより、郵便事業の発展と共にお米流通の新たな形態の創造提供を実現しようとするものである。以下、本考案の実施形態を図面に基づいて詳説する。
【００２３】
ここで、図１はお米詰め袋構造Ａの正面図である。図２は米詰め袋構造Ａの背面図であり、図３および図４はお米詰め袋構造Ａの側面図であり、より詳しくは、図３はお米詰め袋構造Ａの側面図であり、図４はお米詰め袋構造Ａの一部内部構造を示した側面図である。また、図５は、お米詰め袋構造Ａの正面斜視図である。
【００２４】
本実施形態における郵便ポストに投函可能なメッセージ付きお米詰め袋構造Ａは、内部空気を略完全吸引した生米Ｒ収納の固形扁平包装袋２０により扁平状の真空お米パック１０を構成すると共に、真空お米パック１０のパック本体の形状は１cm〜３cmの肉厚で略Ａ４サイズの短い幅員の約半分の大きさに形成することにより郵便ポストに投函可能な長方形状の真空お米パック形状とし、真空お米パック１０の表面所定位置に郵便切手Ｓを、表面余白位置にメッセージの記入可能としたメッセージシートＭをそれぞれ貼付して新たなメッセージ送信形態にすると共に、郵送によるお米のプレゼントの形態とすることを可能に構成している。
【００２５】
具体的には、真空お米パック１０は、固形扁平包装袋２０の開口部２１を介して生米収納空間２２に生米Ｒを収納し、生米収納空間２２を真空状態にすると共に開口部２１を閉じることで構成されている。
【００２６】
固形扁平包装袋２０は、内外面にビニールコーティング処理を施した耐水性のクラフト紙製の包装袋よりなる。なお、固形扁平包装袋２０はクラフト紙製に限定されるものではなく、所定強度を備えた素材よりなる包装袋であってもよい。
【００２７】
固形扁平包装袋２０は、内国郵便約款で規定する第一種郵便物の定形外郵便物（規格内）の縦横寸法の範囲内とする。具体的には、固形扁平包装袋２０は横幅を９cm〜２５cm、縦幅を１４cm〜３４cmとする。更に、固形扁平包装袋２０は、生米を収納した際の厚みを１cm〜３cmとする。
【００２８】
なお、固形扁平包装袋２０に収納する生米の量は、本実施形態に係るメッセージ付きお米詰め袋構造Ａが内国郵便約款で規定する第一種郵便物の定形外郵便物（規格内）の重量の範囲内とする。具体的には、生米を収納した固形扁平包装袋よりなる真空お米パック１０および後述するメッセージシートＭの総重量を１kg以下とする。
【００２９】
固形扁平包装袋２０を上記の形状とすることにより、かかるお米詰め袋構造Ａの差出人は全国に18万本以上配置される郵便ポストＰに投函するだけで国内全域にお米を流通させることが可能となる。また、上記の形状は日本郵便推奨規格の郵便受箱に収容可能な寸法でもあるため、受取人が不在であっても郵便受箱に入れて送達を行うことが可能である。すなわち、差出人は郵便ポストがあれば何処でも気軽にお米を送付できる。また、送付されたお米は配達人が受取人の郵便受箱に投函するため、受取人は配達人からの受け取り時刻を気にする必要がない。このように、かかるお米詰め袋構造Ａによれば送受の際の煩わしい作業を可及的に省略することも可能となる。
【００３０】
しかも、固形扁平包装袋２０に収納する生米を３合以下（500ｇ以下）とすれば390円の郵便切手を貼付して国内全域に発送可能である。また、固形扁平包装袋２０に収納する生米を６合以下（１kg以下）とすれば560円の郵便切手を貼付して国内全域に発送可能である。
【００３１】
本実施形態における生米収納空間２２は、略方形状としているが、図６および図７に示すように、郵便ポストＰのポスト内空間４１に投函口４０を介して投函し郵送可能な形状であれば、例えば扁平状の楕円形やハート型、その他の図形であってもよい。
【００３２】
生米Ｒを生米収納空間２２に収納した後に、生米収納空間２２内の内部空気を略完全に吸引して固形扁平包装袋２０の開口部２１を接着する。接着方法は、生米収納空間２２内部の真空状態を維持できるものであれば、圧着や溶着などから自由に選択することができる。
【００３３】
また、生米収納空間２２の内部空気を略完全に吸引する際は、図４に示すように、生米Ｒ収納の固形扁平包装袋２０は、前側袋表面２３に収納固形生米Ｒの米粒集合から形成される表面凹凸２５を形成するように構成する。
【００３４】
具体的には、表面凹凸２５は、固形扁平包装袋２０の生米収納空間２２を真空状態にすることで収縮させ、固形扁平包装袋２０の前側袋表面２３を生米収納空間２２に収納した生米Ｒの塊の外形に沿って密着させることで形成する。
【００３５】
表面凹凸２５は、前側袋表面２３に面する収納生米Ｒの外周面を前側袋表面２３の表面凹凸２５に被覆すると共に、収納生米Ｒを固形扁平包装袋２０内で密に固形扁平状に形成することができる。すなわち、後述するように、固形扁平包装袋２０よりなる真空お米パック１０を郵便ポストに投函可能なメッセージ付きお米詰め袋構造として使用した時に、外部から不用意な衝撃を受けても固形扁平形状を維持することが可能となり、メッセージを送信するという役割を確実に果たすことができる。
【００３６】
かかる構成の真空お米パック１０の表面には内国郵便約款に規定する位置に郵便切手Ｓを貼付する。具体的には、左側長辺縁から35mmかつ上側短縁から70mmの範囲に収まるように郵便切手Ｓを貼付する。
【００３７】
また、真空お米パック１０の表面上半分の余白（郵便切手Ｓの範囲外）には送付先および宛名を記載すると共に、表面下半分にはメッセージ等を記入可能なメッセージシートＭを貼付することで、郵便ポストに投函して郵送可能な構成としている。
【００３８】
メッセージシートＭは、裏面に粘着剤と剥離紙を粘着すると共に、筆記用具で文字の記載が可能な耐水性の合成樹脂素材のシートより構成している。
【００３９】
これにより、メッセージの送り主は、別途粘着剤を容易しなくともお米詰め袋構造Ａをメッセージ送信形態とすることができる。また、真空お米パック１０とメッセージシートＭとを別体としているため、メッセージ受け取り主は、真空お米パック１０を切開いて収納生米を取出す際にメッセージシートＭを取り外せば、メッセージシートＭを単体として保管することができる。これにより、メッセージを保管しやすくする効果がある。
【００４０】
しかも、真空お米パック１０を構成する固形扁平包装袋２０は、袋表面に収納固形生米Ｒの米粒集合から形成される表面凹凸２５を形成するように構成されているため、メッセージシートＭと真空お米パック１０との接着面積を減らし、メッセージシートＭの必要以上に固い貼着を回避できる。また、メッセージシートＭは、合成樹脂素材としているために強度に優れ破損しにくいという性質がある。これにより、表面を表面凹凸２５に構成した真空お米パック１０と強度に優れたメッセージシートＭとの性質が相俟って、メッセージ受信者はメッセージシートＭを着実に真空お米パック１０から取外して同シートＭを破くことなく保管できる。
【００４１】
真空お米パック１０の後側袋表面２４には、図２に示すように、食品表示法に規定する事項（内容量、精米時期、販売者等の情報）を記した食品表示３０を行う。なお、食品表示３０が隠れない範囲であればメッセージシートＭを真空お米パック１０の後側袋表面２４に貼付することもできる。
【００４２】
また、食品表示３０は、真空お米パック１０の後側袋表面２４に貼付されることに限定されるものではなく、真空お米パック１０の前側袋表面２３下半分に貼付される構成としてもよい。この場合、メッセージシートＭを真空お米パック１０の後側袋表面２４の全域に貼付することができる。
【符号の説明】
【００４３】
Ａ  お米詰め袋構造
Ｍ  メッセージシート
Ｒ  生米
Ｓ  郵便切手
Ｐ  郵便ポスト
１０  真空お米パック
２０  固形扁平包装袋
２１  開口部
２２  生米収納空間
２３  前側袋表面
２４  後側袋表面
２５  表面凹凸
３０  食品表示
４０  投函口
４１  ポスト内空間
【図１】
0003234408.tif 000003
【図２】
0003234408.tif 000004
【図３】
0003234408.tif 000005
【図４】
0003234408.tif 000006
【図５】
0003234408.tif 000007
【図６】
0003234408.tif 000008
【図７】
0003234408.tif 000009